【事件の表示】
　特願２００１−３２２４９３「画像配信のためのシステム及び方法」拒絶査定不服審判事件〔平成１４年　７月２６日出願公開、特開２００２−２０９１６４、請求項の数（６）〕について、次のとおり審決する。
【結　論】
　原査定を取り消す。
　本願の発明は、特許すべきものとする。
【理　由】
第１　経緯
　本願は、平成１３年１０月１９日（優先権主張平成１２年１０月２４日）の出願であって、手続の概要は以下のとおりである。
　　
　拒絶理由通知　　　　　　　　：平成１６年１２月１０日（起案日）
　手続補正書（明細書の補正）　：平成１７年　２月１０日
　拒絶理由通知（最後）　　　　：平成１７年１２月２６日（起案日）
　手続補正書（明細書の補正）　：平成１８年　２月２４日
　補正の却下の決定　　　　　　：平成１８年　４月　４日（起案日）
　拒絶査定　　　　　　　　　　：平成１８年　４月　４日（起案日）
　審判請求書　　　　　　　　　：平成１８年　５月１７日
　手続補正書（明細書の補正）　：平成１８年　６月１５日
　　
第２　補正却下の決定
　平成１８年６月１５日付けの手続補正について次のとおり決定する。
　　
［補正却下の決定の結論］
　　平成１８年６月１５日付けの手続補正を却下する。
　　
［理由］
　１　補正の内容
　　平成１８年６月１５日付けの手続補正（以下「本件補正」という。）は、請求項１〜６についてする補正である。
　　
　　補正前の請求項１〜６
「　【請求項１】　画像を通信ネットワークを通じて、画像を取り込んだ印刷ページの編集と印刷を行うためのイメージエディタがインストールされたユーザシステムに配信するためのシステムにおいて、
　配信できる複数の画像の各々について、本画像データと、前記本画像データより少ないピクセル数をもつ第２画像データと、各画像の利用制限を表した制御データとを蓄積したものであって、前記本画像データは、前記イメージエディタにて、前記各画像を取り込んだ印刷ページを印刷するために使用されるものであり、前記第２画像データは、前記イメージエディタにて、前記印刷ページの印刷を実行する前に、前記各画像のプレビュー又は前記印刷ページの編集を行うために使用されるものであり、前記制御データは、前記イメージエディタにて、前記各画像の利用を制限するために使用されるものである、画像蓄積手段と、
　前記複数の画像の中から一つの画像を選択し、前記ユーザシステムに、選択された画像の前記第２画像データと前記制御データとを送信する第２画像送信手段と、
　ユーザからの要求を受けて前記選択された画像の前記本画像データを前記ユーザシステムに送信するダウンロード手段と
を備えたことを特徴とするシステム。
　　【請求項２】　請求項１記載のシステムにおいて、
　前記画像蓄積手段は、前記複数の画像の各々について、前記イメージエディタにて前記各画像をプレビューして前記各画像の用途又は印刷サイズを指定するために使用されるプレビュー画像データを、前記第２画像データとして蓄積しており、
　前記第２画像送信手段は、前記選択された画像の前記プレビュー画像データと前記制御データとを前記ユーザシステムに送信するプレビュー画像送信手段を含み、
　前記ユーザシステムに送信された前記制御データは、前記イメージエディタにて、前記選択された画像の用途又は印刷サイズを指定するときに、指定できる用途又は印刷サイズを制限するために使用されることを特徴とするシステム。
　　【請求項３】　請求項１記載のシステムにおいて、
　前記画像蓄積手段は、前記複数の画像の各々について、前記イメージエディタにて前記各画像を取り込んだ印刷ページを編集するために使用されるレイアウト画像データを、前記第２画像データとして蓄積しており、
　前記第２画像送信手段は、前記選択された画像の前記レイアウト画像データと前記制御データとを前記ユーザシステムに送信するレイアウト画像送信手段を含み、
　前記ユーザシステムに送信された前記制御データは、前記イメージエディタにて、前記選択された画像を取り込んだ印刷ページを編集するときに、実行可能な編集操作の種類を制限するために使用されることを特徴とするシステム。
　　【請求項４】　画像を通信ネットワークを通じて、画像を取り込んだ印刷ページの編集と印刷を行うためのイメージエディタがインストールされたユーザシステムに配信するための方法において、
　配信できる複数の画像の各々について、本画像データと、前記本画像データより少ないピクセル数をもつ第２画像データと、各画像の利用制限を表した制御データとを用意するステップであって、前記本画像データは、前記イメージエディタにて、前記各画像を取り込んだ印刷ページを印刷するために使用されるものであり、前記第２画像データは、前記イメージエディタにて、前記印刷ページの印刷を実行する前に、前記各画像のプレビュー又は前記印刷ページの編集を行うために使用されるものであり、前記制御データは、前記イメージエディタにて、前記各画像の利用を制限するために使用されるものである、前記ステップと、
　前記複数の画像の中から一つの画像を選択し、前記ユーザシステムに、選択された画像の第２画像データと前記制御データとを送信するステップと、
　ユーザからの要求を受けて前記選択された画像の前記本画像データを前記ユーザシステムに送信するステップと
を備えたことを特徴とする方法。
　　【請求項５】　請求項４記載の方法において、
　前記用意するステップは、前記複数の画像の各々について、前記イメージエディタにて前記各画像をプレビューして前記各画像の用途又は印刷サイズを指定するために使用されるプレビュー画像データを、前記第２画像データとして用意するステップを含み、
　前記第２画像データを送信するステップは、前記選択された画像の前記プレビュー画像データと前記制御データとを前記ユーザシステムに送信するステップを含み、
　前記ユーザシステムに送信された前記制御データは、前記イメージエディタにて、前記選択された画像の用途又は印刷サイズを指定するときに、指定できる用途又は印刷サイズを制限するために使用されることを特徴とする方法。
　　【請求項６】　請求項４記載の方法において、
　前記用意するステップは、前記複数の画像の各々について、、前記イメージエディタにより前記各画像を取り込んだ印刷ページを編集するために使用されるレイアウト画像データを、前記第２画像データとして用意するステップを含み、
　前記ユーザシステムに送信された前記制御データは、前記イメージエディタにて、前記選択された画像を取り込んだ印刷ページを編集するときに、実行可能な編集操作の種類を制限するために使用されることを特徴とする方法。」
　　
を、次のとおり補正後の請求項１〜６に補正するものである。
　　
「　　【請求項１】　画像を通信ネットワークを通じて、画像を取り込んだ印刷ページの編集と印刷を行うためのイメージエディタがインストールされたユーザシステムに配信するためのシステムにおいて、
　配信できる複数の画像の各々について、本画像データと、前記本画像データより少ないピクセル数をもつ第２画像データと、各画像の利用制限を表した制御データとを蓄積したものであって、前記本画像データは、前記イメージエディタにて、前記各画像を取り込んだ印刷ページを印刷するために使用されるものであり、前記第２画像データは、前記イメージエディタにて、前記本画像データを用いて前記印刷ページの印刷を実行する前に、前記各画像のプレビュー又は前記印刷ページの編集を行うために使用されるものであり、前記制御データは、前記イメージエディタにて、前記各画像の前記本画像データを印刷するときに、前記イメージエディタに印刷動作を制限させるものである、画像蓄積手段と、
　前記複数の画像の中から一つの画像を選択し、前記ユーザシステムに、選択された画像の前記第２画像データと前記制御データとを送信する第２画像送信手段と、
　ユーザからの要求を受けて前記選択された画像の前記本画像データを前記ユーザシステムに送信するダウンロード手段と
を備えたことを特徴とするシステム。
　　【請求項２】　請求項１記載のシステムにおいて、
　前記画像蓄積手段は、前記複数の画像の各々について、前記本画像データを用いて前記印刷ページの印刷を実行する前に前記イメージエディタにて前記各画像をプレビューして前記各画像の用途又は印刷サイズを指定するために使用されるプレビュー画像データを、前記第２画像データとして蓄積しており、
　前記第２画像送信手段は、前記選択された画像の前記プレビュー画像データと前記制御データとを前記ユーザシステムに送信するプレビュー画像送信手段を含み、
　前記ユーザシステムに送信された前記制御データは、前記イメージエディタにて、前記選択された画像の前記本画像データを用いて前記印刷ページを印刷するときに、前記イメージエディタに印刷部数又は印刷サイズを制限させるものであることを特徴とするシステム。
　　【請求項３】　請求項１記載のシステムにおいて、
　前記画像蓄積手段は、前記複数の画像の各々について、前記本画像データを用いて前記印刷ページの印刷を実行する前に前記イメージエディタにて前記印刷ページのレイアウトを編集するために使用されるレイアウト画像データを、前記第２画像データとして蓄積しており、
　前記第２画像送信手段は、前記選択された画像の前記レイアウト画像データと前記制御データとを前記ユーザシステムに送信するレイアウト画像送信手段を含み、
　前記ユーザシステムに送信された前記制御データは、前記イメージエディタにて、前記選択された画像の前記本画像データを用いて前記印刷ページを印刷するときに、前記イメージエディタに前記印刷ページのレイアウトを制限させるものであることを特徴とするシステム。
　　【請求項４】　画像を通信ネットワークを通じて、画像を取り込んだ印刷ページの編集と印刷を行うためのイメージエディタがインストールされたユーザシステムに配信するための方法において、
　配信できる複数の画像の各々について、本画像データと、前記本画像データより少ないピクセル数をもつ第２画像データと、各画像の利用制限を表した制御データとを用意するステップであって、前記本画像データは、前記イメージエディタにて、前記各画像を取り込んだ印刷ページを印刷するために使用されるものであり、前記第２画像データは、前記イメージエディタにて、前記本画像データを用いて前記印刷ページの印刷を実行する前に、前記各画像のプレビュー又は前記印刷ページの編集を行うために使用されるものであり、前記制御データは、前記イメージエディタにて、前記各画像の前記本画像データを印刷するときに、前記イメージエディタに印刷動作を制限させるものである、前記ステップと、　前記複数の画像の中から一つの画像を選択し、前記ユーザシステムに、選択された画像の第２画像データと前記制御データとを送信するステップと、
　ユーザからの要求を受けて前記選択された画像の前記本画像データを前記ユーザシステムに送信するステップと
を備えたことを特徴とする方法。
　　【請求項５】　請求項４記載の方法において、
　前記用意するステップは、前記複数の画像の各々について、前記本画像データを用いて前記印刷ページの印刷を実行する前に前記イメージエディタにて前記各画像をプレビューして前記各画像の用途又は印刷サイズを指定するために使用されるプレビュー画像データを、前記第２画像データとして用意するステップを含み、
　前記第２画像データを送信するステップは、前記選択された画像の前記プレビュー画像データと前記制御データとを前記ユーザシステムに送信するステップを含み、
　前記ユーザシステムに送信された前記制御データは、前記イメージエディタにて、前記選択された画像の前記本画像データを用いて前記印刷ページを印刷するときに、前記イメージエディタに印刷部数又は印刷サイズを制限させるものであることを特徴とする方法。
　　【請求項６】　請求項４記載の方法において、
　前記用意するステップは、前記複数の画像の各々について、前記本画像データを用いて前記印刷ページの印刷を実行する前に前記イメージエディタにより前記各画像を取り込んだ印刷ページのレイアウトを編集するために使用されるレイアウト画像データを、前記第２画像データとして用意するステップを含み、
　前記ユーザシステムに送信された前記制御データは、前記イメージエディタにて、前記選択された画像の前記本画像データを用いて前記印刷ページを印刷するときに、前記イメージエディタに前記印刷ページのレイアウトを制限させるものであることを特徴とする方法。」
　　
　２　補正の適合性
　　本件補正は、請求項の削除、特許請求の範囲の減縮、誤記の訂正又は明りょうでない記載の釈明を目的とするものではない。
　　詳細は以下のとおりである。
　（１）請求項１、４
　　　「前記印刷ページの印刷を実行する前に」及び「前記各画像の利用を制限するために使用されるものである」をそれぞれ
「前記本画像データを用いて前記印刷ページの印刷を実行する前に」及び「前記各画像の前記本画像データを印刷するときに、前記イメージエディタに印刷動作を制限させるものである」
とした補正は、特許請求の範囲の限定的減縮に相当する。
　（２）請求項２、５
　　　本件補正の請求項２、５に係る補正は、
「前記選択された画像の用途又は印刷サイズを指定するときに、指定できる用途又は印刷サイズを制限するために使用されること」を
「前記選択された画像の前記本画像データを用いて前記印刷ページを印刷するときに、前記イメージエディタに印刷部数又は印刷サイズを制限させるものであること」
とする補正である。
　「前記選択された画像の用途又は印刷サイズを指定するとき」を「前記選択された画像の前記本画像データを用いて前記印刷ページを印刷するとき」とする補正及び
　「指定できる用途」を「印刷部数」とする補正は、請求項に記載した発明を特定するために必要な事項を限定するものとは認められない。
　また、請求項２、５の補正は、請求項の削除、誤記の訂正、明りょうでない記載の釈明でないことは明らかである。
　（３）請求項３、６
　　　本件補正の請求項３、６に係る補正は、
「前記選択された画像を取り込んだ印刷ページを編集するときに、実行可能な編集操作の種類を制限するために使用されること」を
「前記選択された画像の前記本画像データを用いて前記印刷ページを印刷するときに、前記イメージエディタに前記印刷ページのレイアウトを制限させるものである」
とする補正を含むものである。
　「・・・印刷ページを編集するとき」を「・・・印刷ページを印刷するとき」とする補正及び
　「実行可能な編集操作の種類を制限するために使用されること」を「前記イメージエディタに前記印刷ページのレイアウトを制限させるものである」とする補正は、請求項に記載した発明を特定するために必要な事項を限定するものとは認められない。
　また、請求項３、６の補正は、請求項の削除、誤記の訂正、明りょうでない記載の釈明でないことは明らかである。
　（４）まとめ
　　　以上のように、本件補正は、請求項の削除、特許請求の範囲の減縮、誤記の訂正又は明りょうでない記載の釈明を目的とするものではない。
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条１項の規定により却下すべきものである。
　よって、補正却下の決定の結論のとおり決定する。
　　
第３　本願発明について
　平成１８年６月１５日付けの手続補正は、上記のとおり却下されたので、本願の請求項１〜６に係る発明は、平成１７年２月１０日付け手続補正により補正された明細書及び図面の記載からみて、その特許請求の範囲の請求項１〜６に記載した事項により特定されるとおりのものであると認める。
　そして、本願については、原査定の拒絶理由を検討してもその理由によって拒絶すべきものとすることはできない。 
　また、他に本願を拒絶すべき理由を発見しない。 
　よって、結論のとおり審決する。